(57)【要約】      （修正有）【課題】電線の芯線を損傷することなく、絶縁被覆を容易に剥ぎ取ることができる電線ストリッパーを提供する。【解決手段】電線の絶縁被覆を、上刃部６と下刃部７に複数設けられた半円形の一対の上下の刃の中から電線に適合する刃を使用し、輪切りにしてから縦切り上刃１１と縦切り下刃１２で縦切りをした後、上挾持部１と下挾持部２で絶縁被覆を挟んで取り除くことによって作業が容易に行われる。【選択図】図１
0003204133.tif 000002
【実用新案登録請求の範囲】
【請求項１】
電線の絶縁被覆を輪切りにする半円形の一対の刃を、上刃部６と下刃部７に複数設け、縦切りにする一対の縦切り上刃１１と縦切り下刃１２を上ハンドル１５と下ハンドル１６に設けたことを特徴とする電線ストリッパー。
【請求項２】
電線被覆を芯線から取り除くことができる上挾持部１と下挾持部２を設けたことを特徴とする請求項１記載の電線ストリッパー。
【考案の詳細な説明】
【技術分野】
【０００１】  本考案は、電線の絶縁体であるビニール、又は架橋ポリエチレンで構成された絶縁被覆が電気導体の芯線を傷つけることなく、安易に剥ぎ取ることができる電線ストリッパーに関するものである。
【背景技術】
【０００２】  従来、ＩＶ線、ＶＶＲ線、ＣＶ線、ＣＶＴ線のような丸形電線の絶縁被覆を剥ぎ取る手段としては、電工ナイフを使用して絶縁被覆に切り込みや削りをして、電線から手で取り除くという作業が行われていた。しかし、この作業は熟練を要して手間がかかり、また、誤って手に怪我をすることもあり、安全で早く作業ができる電線ストリッパーが考案されている。（たとえば、特許文献１参照。）
【先行技術文献】
【特許文献】
【０００３】
【特許文献１】  実開平０６−０３１３２１号  公報
【考案の概要】
【考案が解決しようとする課題】
【０００４】  しかしながら、従来の電線ストリッパーは絶縁被覆を輪切りにする時に、芯線の太さに合わせて刃の切込深さを調整することや、電線を数回まわして切り込みを入れる操作が必要で、作業を迅速に行う上で効率的とはいえず、また、刃で切り目を入れた絶縁被覆を電線から取り除く機能は十分とはいえない問題があった。したがって、本考案は電線の芯線を損傷することなく、絶縁被覆を容易に剥ぎ取ることができる電線ストリッパーを提供することを課題とする。
【課題を解決するための手段】
【０００５】  上述した課題を解決するために、本考案の電線ストリッパーは、上刃部６と下刃部７に、芯線Ｓの外径に合わせた半円形の上下一対の刃を複数設けて、絶縁被覆Ｚを輪切りにしてから、上ハンドル１５と下ハンドル１６に備えた上下一対の縦切り上刃１１と縦切り下刃１２によって縦に切り込みを入れて、絶縁被覆Ｚを二分割にすることを特徴とするものである。【０００６】  また、切り込みされた絶縁被覆Ｚを、本体の先端に設けた上挾持部１と下挾持部２で挟むことで、手を使用しなくても安易に剥ぎ取り作業が可能になることを特徴とする電線ストリッパーである。
【図面の簡単な説明】
【０００７】
【図１】本考案の電線ストリッパーの全体斜視図である。
【図２】本考案の電線ストリッパーを閉じた側面図である。
【図３】本考案の電線ストリッパーを開いた側面図である。
【図４】縦切り刃周辺の拡大側面図である。
【図５】図２のＡ−Ａ断面図である。
【図６】絶縁被覆剥きの推移を示した図である。
【考案を実施するための形態】
【０００８】  以下は、本考案の実施形態を図面に基づいて説明する。図１は本考案の電線ストリッパーの全体斜視図で、輪切りをするために上刃部６に半円形のＡ上刃３ａ、Ｂ上刃３ｂ、Ｃ上刃３ｃ、Ｄ上刃３ｄと下刃部７に同じく半円形のＡ下刃４ａ、Ｂ下刃４ｂ、Ｃ下刃４ｃ、Ｄ下刃４ｄが設けられ、４種類の電線太さに適応する構造になっている。
【０００９】  図２は本考案の電線ストリッパーを閉じた側面図であり、輪切りをする複数の上刃と下刃の半円形の直径は芯線Ｓの外径寸法と同じくしている。したがって、本体を閉じると上刃と下刃は真円形のＡ孔５ａ、Ｂ孔５ｂ、Ｃ孔５ｃ、Ｄ孔５ｄの孔が形成され、上ハンドル１５と下ハンドル１６をいくら押しても複数の上刃と下刃は芯線Ｓの表面で止まるので芯線Ｓに傷が付くことはない。
【００１０】  図３は本考案の電線ストリッパーを開いた側面図であり、電線Ｄは輪切りをする複数の刃の中で、Ｃ上刃３ｃとＣ下刃４ｃの間に入れた状態を示し、また、縦切りをする縦切り上刃１１と縦切り下刃１２の間に置いた状態を表している。
【００１１】  図４は縦切り刃周辺の拡大側面図であり、上ハンドル１５と下ハンドル１６に備えた上部電線受面９と下部電線受面１０は、電線Ｄの脱却を防ぐために凹面形状である。また、縦切り上刃１１と縦切り下刃１２の長さは、絶縁被覆を剥く目的の頻度が多い電線用圧着端子の挿入部分の寸法を基準にしている。
【００１２】  図５は図２のＡ−Ａの断面図である。輪切りをする刃の複数の中でＤ孔５ｄを示している。Ｄ上刃３ｄの刃先とＤ下刃４ｄの刃先の対面位置は合致しているので、輪切りの切れ目が擦れることなく均一な円周に切れることが可能になる。
【００１３】  図６は絶縁被覆剥きの推移を示した図である。図６（ａ）は絶縁被覆Ｚが、上刃部６と下刃部７を閉じることによって円周に切り込まれ輪切りになることを示している。さらに、縦切り上刃１１と縦切り下刃１２によって図６（ｂ）に示された縦切りが形成される。図６（ｃ）は縦切りの刃は上下に備えているので絶縁被覆Ｚは二分割に切り込まれ、さらに上挾持部１と下挾持部２で挟むことによって、芯線Ｓから取り除かれた状態を表している。
【実施例】
【００１４】  絶縁被覆Ｚの剥ぎ取る位置を決めて、上刃部６と下刃部７に設けられた複数の上刃と下刃の中から電線Ｄの種類に適合する刃を電線Ｄに当て、上ハンドル１５と下ハンドル１６を下げると、図６（ａ）に示した輪切りが形成される。【００１５】  輪切りにされた電線Ｄを縦切りにするために縦切り電線受口１３に入れ、上部電線受面９に付いている縦切り上刃１１と下部電線受面１０に付いている縦切り下刃１２が、切り込み深さである芯線Ｓの表面に達するまで上ハンドル１５と下ハンドル１６を下げると、図６（ｂ）のように縦切りが形成される。【００１６】  電線Ｄに輪切りと縦切りを入れて二分割に切り込みされた絶縁被覆Ｚは、芯線Ｓに密着しているので、上ハンドル１５と下ハンドル１６の操作により上挾持部１と下挾持部２で挟んで取り除く。こうして、本考案の電線ストリッパーを使用することによって、絶縁被覆Ｚの剥ぎ取り作業が安全に容易に行える。
【符号の説明】
【００１７】  １    上挾持部      ５ｂ  Ｂ孔              １４  バネ
２    下挾持部      ５ｃ  Ｃ孔              １５  上ハンドル
３ａ  Ａ上刃        ５ｄ  Ｄ孔              １６  下ハンドル
３ｂ  Ｂ上刃        ６    上刃部            １７  レバー通し孔
３ｃ  Ｃ上刃        ７    下刃部            １８  レバー
３ｄ  Ｄ上刃        ８    軸                １９  レバー閉時収納溝
４ａ  Ａ下刃        ９    上部電線受面      ２０  レバー開時収納溝
４ｂ  Ｂ下刃        １０  下部電線受面      Ｄ    電線
４ｃ  Ｃ下刃        １１  縦切り上刃        Ｓ    芯線
４ｄ  Ｄ下刃        １２  縦切り下刃        Ｚ    絶縁被覆
５ａ  Ａ孔          １３  縦切り電線受口
【図１】
0003204133.tif 000003
【図２】
0003204133.tif 000004
【図３】
0003204133.tif 000005
【図４】
0003204133.tif 000006
【図５】
0003204133.tif 000007
【図６】
0003204133.tif 000008